(57)【要約】【課題】プレス加工で製作した回転軸５ａを持つローラ５の軸端に駆動部材４０を係合させて、駆動部材４０に駆動を与えてローラ５を回転させる際に、ローラ５と駆動部材４との締結が回転中に緩むことなく安定的に回転すること。【解決手段】回転軸５ａの軸径が広がらないように、回転軸５aあの合わせ目５ｅを凹凸形状５ｆ、５ｇに嵌合させた上で、かつ回転軸５ａの駆動伝達部５ｊを、駆動部材４０が係合している軸端５ｃから他端５ｄに向かうに従って前記回転体５の回転方向Ｗの下流側にねじれた破断面に設けることで、ローラ５と駆動部材４０とが径方向においても軸線方向においても緩むことなく安定的に回転する。【選択図】図１
2018180149.tif 000002
【特許請求の範囲】
【請求項１】
電子写真画像形成装置に用いられる回転体において、
前記回転体の回転軸は中空円筒形状であって、
前記回転軸の軸線方向における前記回転軸の一端から他端に亘って合わせ目を備え、
かつ前記回転軸は、一端である第一軸端部の近傍に回転駆動を受ける駆動伝達部を有し、
前記駆動伝達部は、前記第一軸端部に設けられ、前記回転体の軸線方向に対して傾斜またはねじれた面に設けられていることを特徴とする回転体。
【請求項２】
前記合わせ目は、合わせ目の一方側と他方側には凹部と凸部が形成されており、前記一方側の凸部が前記他方側の凹部に嵌り前記他方側の凸部が前記一方側の凹部に嵌ることで前記一方側と前記他方側と連結された形態であることを特徴とする請求項１に記載の回転体。
【請求項３】
前記回転軸を被覆する弾性材層または非弾性材層を有し、像担持体に現像剤を供給する現像ローラであることを特徴とする請求項１又は２に記載の回転体。
【請求項４】
前記回転軸を被覆する弾性材層または非弾性材層を有し、像担持体に現像剤を供給する現像ローラに現像剤を供給する現像剤供給ローラであることを特徴とする請求項１又は２に記載の回転体。
【請求項５】
前記回転軸を被覆する弾性材層または非弾性材層を有し、像担持体に当接して前記像担持体を帯電する帯電ローラであることを特徴とする請求項１又は２に記載の回転体。
回転体。
【請求項６】
電子写真画像形成装置の装置本体に着脱可能なプロセスカートリッジであって、
請求項２乃至５の何れか一項に記載の少なくとも１つの回転体と、
前記回転体を回転可能に支持する軸支持部と、
前記回転体の前記第一軸端部に係合し、前記回転体と一体的に回転する駆動部材と、を有し、
前記駆動部材は、前記装置本体から回転駆動を受ける駆動受け部と、
前記第一軸端部に当接して前記回転体に対して軸線方向の位置を決める位置決め部と、
前記第一軸端部の内周または外周と嵌合して前記回転体に対して軸心を一に決める軸心決め部と、
前記回転軸の前記駆動伝達部に当接して前記回転体に回転駆動を付与する駆動付与部と、
を有することを特徴とするプロセスカートリッジ。
【発明の詳細な説明】
【技術分野】
【０００１】
本発明は、電子写真感光体や誘電体のような被帯電体に電圧を印加するための電圧印加装置、該電圧印加装置を備え電子写真画像形成装置の装置本体に着脱可能なプロセスカートリッジ、及び該電圧印加装置を備えた電子写真画像形成装置に関する。
【０００２】
ここで、電子写真画像形成装置とは、電子写真画像形成方式を用いて記録媒体に画像を形成するものである。そして、電子写真画像形成装置の例としては、例えば電子写真複写機、電子写真プリンタ（例えばレーザービームプリンタ、ＬＥＤプリンタ等）、フアクシミリ装置及びワードプロセッサ等が含まれる。装置本体とはプロセスカートリッジを除いた画像形成装置部分である。記録媒体とは、電子写真画像形成装置によって画像が形成されるものであり、例えば、紙、ＯＨＴシート、布などが含まれる。また、電子黒板などの画像表示装置の画像表示部材なども含まれる。
【背景技術】
【０００３】
従来、電子写真画像形成装置（以下、画像形成装置と記す）においては、感光体及び感光体に作用するプロセス手段を一体的にカートリッジ化し、画像形成装置の装置本体に着脱可能とするプロセスカートリッジ方式が採用されている。このプロセスカートリッジ方式によれば、画像形成装置のメンテナンスをサービスマンによらずに使用者自身で行うことが出来るので、格段に操作性を向上させることができた。そこで、このプロセスカートリッジ方式は、画像形成装置において広く用いられている。
【０００４】
プロセスカートリッジは、特許文献１のように、像担持体である感光体ドラム（電子写真感光体ドラム）を有する。そして、その感光体ドラムに電荷を付与する帯電ローラと、感光体ドラムに現像剤（以下、「トナー」と称す）を供給する現像ローラと、転写されずに感光体ドラム表面に残ったトナーを清掃するクリーニング手段を有するのが一般的である。
【０００５】
現像ローラは装置本体から駆動を受けて回転し、感光体ドラムに当接することで、現像剤収納部のトナーを感光体ドラム表面に連続的に供給する。プロセスカートリッジには現像ローラ、帯電ローラなど複数のローラが使用されているが、いずれのローラも回転軸には中実の金属軸が一般的である。
【０００６】
一方で、コストダウンのために特許文献２のように、プレス加工により製作した、軸線方向全域にわたって途切れた箇所（以降「合わせ目」と称す）を持つ円筒状の軸をローラの回転軸として利用する場合がある。
【０００７】
また、特許文献３のようにプレス加工した回転軸の軸端に駆動部材であるギア取り付けて回転させるものもある。
【先行技術文献】
【特許文献】
【０００８】
【特許文献１】特開２００５−１６４７５６号公報（図７）
【特許文献２】特開２０１５−１９７１４５号公報（図１）
【特許文献３】特開２０１３−１０３２３４号公報（図１３）
【発明の概要】
【発明が解決しようとする課題】
【０００９】
プレス加工による合わせ目を有する円筒状の回転軸の軸端に駆動部材を取り付ける場合、振動や駆動負荷などにより合わせ目が広がることで、締結が緩む懸念がある。締結が緩むと不均一な回転になりその結果、画像ムラが発生する懸念がある。
【００１０】
本発明の目的は、合わせ目を持つ回転軸を有する回転体と駆動部材とが、緩むことなく安定的に回転することで、ムラの少ない高品位の画像を出力することにある。
【課題を解決するための手段】
【００１１】
上記の目的を達成するための本発明に係る回転体の代表的な構成は、
電子写真画像形成装置に用いられる回転体において、
前記回転体の回転軸は中空円筒形状であって、
前記回転軸の軸線方向における前記回転軸の一端から他端に亘って合わせ目を備え、
かつ前記回転軸は、一端である第一軸端部の近傍に回転駆動を受ける駆動伝達部を有し、
前記駆動伝達部は、前記第一軸端部に設けられ、前記回転体の軸線方向に対して傾斜またはねじれた面に設けられていることを特徴とする。
【発明の効果】
【００１２】
本発明によれば、合わせ目を有する中空円筒形状の回転軸を持つローラと駆動部材との締結が回転中に緩むことなく安定的に回転させることができる。
【図面の簡単な説明】
【００１３】
【図１】実施例１に係る現像ローラの回転軸の構成を説明する図である。
【図２】同じく現像ローラとギアとの係合構成を説明する図である。
【図３】実施例２に係る現像ローラとギアとの係合構成を説明する図である。
【図４】電子写真画像形成装置の一例を説明する図である。
【図５】プロセスカートリッジの横断面図である。
【図６】現像ユニットの正面図である。
【図７】現像剤供給ローラと帯電ローラを説明する図である。
【発明を実施するための形態】
【００１４】
以下、図面に基づいて本発明の実施の形態について説明する。なお、感光体ドラムの回転軸線方向を長手方向とする。
【００１５】
［実施例１］
（画像形成装置の構成）
図４は、本実施の形態に係る電子写真画像形成装置１００を示す概略構成図である。この画像形成装置１００はパソコン・イメージリーダ等の外部ホスト装置（不図示）から入力する画像情報に対応したトナー画像を記録媒体である転写材（記録材）に形成してプリントアウトするプリンタである。
【００１６】
画像形成装置１００は、回転駆動される像担持体としての感光体ドラム（以下、ドラムと記す）１を備えている。ドラム１の周囲には帯電ローラ２、露光装置１０２、現像ローラ５、転写ローラ１０４、クリーニングブレード６が配設されている。ドラム１、帯電ローラ２、現像ローラ５及びクリーニングブレード６は、プロセスカートリッジ（以下、カートリッジと記す）７として一体化されている。カートリッジ７は装置本体１００Ａの所定の装着部１００Ｂに対して所定の操作手順にて着脱自在に装着されている。
【００１７】
また、装置本体１００Ａ内には、定着装置１０６、転写材Ｐの給送手段としての給送ローラ１０５及び装置の電気的制御を行うための電装基板（不図示）が設けられている。帯電ローラ２は、感光体ドラム１の表面に所定の押圧力で当接して回転駆動され、帯電バイアス電源（不図示）から所定の帯電バイアスが印加され、ドラム１を所定の極性、電位に帯電処理する。
【００１８】
現像ローラ５は、ドラム１の表面に所定の押圧力で当接して回転駆動され、トナー収容部３１ｃに収容されているトナー（現像剤）を担持してドラム１との当接位置である現像位置へ搬送して感光体ドラム表面に供給する。これにより、ドラム１上に形成された静電潜像にトナーを付着させてトナー像として現像（可視化）する。現像ローラ５には現像バイアス電源（不図示）から所定の現像バイアスが印加される。
【００１９】
転写ローラ１０４は、ドラム１の表面に所定の押圧力で当接して回転駆動され、転写バイアス電源（不図示）から転写ローラ１０４に対して所定の帯電バイアスを印加する。そして転写ローラ１０４とドラム１との間の転写ニップに搬送される転写材Ｐにドラム１の表面のトナー像を転写する。
【００２０】
トナー像を転写された転写材Ｐは定着装置１０６に搬送され、そこで所定の圧と熱を加えられることによりトナー像が定着される。その後、排出ローラ１０７にて画像形成装置１００の外に排出される。クリーニングブレード６は、転写後のドラム１の表面に残った転写残トナーを除去して廃トナー収容部２１ｃに回収する。以下同様にして上記のプロセスを繰り返す。
【００２１】
（プロセスカートリッジの構成）
次にカートリッジ７の構成について、カートリッジ７の横断面図である図５をもとに説明する。カートリッジ７は、大別して、クリーニングユニット９と現像ユニット４からなる。クリーニングユニット９は、ドラム１、クリーニングブレード６および帯電ローラ２が、クリーニング枠体２１に保持されてユニット化されたものである。また、クリーニング枠体２１には廃トナー収容部２１ｃが形成されている。
【００２２】
一方、現像ユニット４は、現像ローラ５と現像ブレード１２が現像枠体３１に保持されてユニット化されたものである。また、現像枠体３１にはトナー収容部３１ｃが形成されている。現像ユニット４は、長手両端に設けられた支持部（不図示）にてクリーニングユニット９に揺動可能に支持されている。そして、現像ユニット４は加圧バネ（不図示）により、現像ローラ５がドラム１に当接する方向に支持部を中心に回動付勢されている。カートリッジ７の長手一端には、装置本体１００Ａに設けられた駆動付与部（不図示）に係合する駆動入力部が設けられており、ドラム１および現像ローラ５に回転駆動を伝達する。
【００２３】
（現像ユニット４の構成）
つぎに現像ユニット４の構成について、現像ユニット４の一部切欠き正面図である図６をもとに説明する。
【００２４】
回転体の一つである現像ローラ５は金属の回転軸５ａの軸線方向の中腹にゴムの弾性層（弾性材層）５ｂが被覆された構成になっている。現像ローラ５は回転軸５ａの両端を現像枠体３１に設けられた軸支持部４３、４４によって回転可能に支持されている。図中右側の軸支持部４３よりさらに軸線方向外側に突き出た一端部分５ｃ（以降「第一軸端部」と称す）に、現像ローラ５への駆動部材であるギア４０が係合しており、現像ローラ５と一体的に回転する。本提案の特徴である現像ローラ５への係合構成については後述する。
【００２５】
ギア４０は入力ギア４１とかみ合っている。入力ギア４１の側面にはカップリング部４１ａを有しており、装置本体１００Ａ側の駆動入力部（不図示）とかみ合う。現像ローラ５の弾性層５ｂはトナー収容部３１ｃ（図５）に連通する開口Ｅをふさぐように配置されている。開口Ｅの長手２辺を現像ブレード１２と封止シート４７で封止し、短手２辺をシール部材４５、４６で封止している。
【００２６】
シール部材４５、４６よりも軸線方向両外側にコロ４８、４９が回転軸５ａに対し回転可能に係合されている。コロ４８、４９の内径は回転軸５ａの外径よりもわずかに大きく、またコロ４８、４９の外径は弾性層５ｂの外径よりもわずかに小さく構成している。コロ４８、４９の外周面がドラム１の表面に当接するように付勢することで、現像ローラ５はドラム１に対して安定した当接状態を保つことができる。
【００２７】
回転軸５ａの第一軸端部５ｃと反対側の一端部（他端部）５ｄ（以降「第二軸端部」と称す）の近傍に、導電性の接点部材５０が回転軸５ａの外周面に当接するように設けられている。接点部材５０は装置本体１００Ａ側との接点部５０ａを有し、装置本体１００Ａ側から接点部材５０を経由して現像ローラ５にバイアスが印加される。なお、現像ローラ５は回転軸５ａの被覆層５ｂを非弾性材層にした構成にすることもできる。
【００２８】
（回転軸５ａの構成）
つぎに現像ローラ５の回転軸５ａの構成について図１をもとに説明する。（ａ）は回転軸５ａの正面図、（ｂ）は（ａ）を矢印Ｓ１方向から見た側面図、（ｃ）は（ｂ）を矢印Ｓ２方向から見た第一軸端部５ｃ付近の背面図である。
【００２９】
回転軸５ａは矩形金属板を円筒状にプレス曲げ加工して、矩形金属板の長手側端面どうしを当接させて形成された合わせ目（連結部）５ｅを有する中空円筒形状である。このような構成により、中実金属軸よりも安価で軽量にすることができる。また、一方の長手側端面に円周方向の凸形状（凸部）５ｆを有し、対向する他方の長手側端面に凹形状（凹部）５ｇを設けている。凸形状５ｆと凹形状５ｇとの軸線方向の隙間５ｋを密着させて嵌められている。そうすることにより、回転軸５ａのねじれ強度を増すことができる。したがって、回転駆動が付与された際に、合わせ目５ｅの開きを防止することができる。
【００３０】
上記の回転軸５ａの構成をまとめると次の通りである。回転軸５ａは中空円筒形状である。回転軸５ａの軸線方向０−０（仮想線）における回転軸５aの一端から他端に亘って合わせ目（連結部）５ｅを備えている。合わせ目５ｅは、合わせ目の一方側と他方側には凹部５ｇと凸部５ｆが形成されており、一方側の凸部５ｆが他方側の凹部５ｇに嵌り他方側の凸部５ｆが一方側の凹部５ｇに嵌ることで一方側と他方側と連結された形態である。
【００３１】
第一軸端部５ｃは回転軸５ａの軸線０−０に垂直な平面である。また、第一軸端部５ｃの一部に、（ｂ）、（ｃ）に示すように、矩形金属板を貫通するねじれたＵ字形状の切欠き部５ｈが設けられている。周方向（Ｗ方向）に関して、切欠き部５ｈが設けられた位相は合わせ目５ｅが設けられた位相の反対側の位相である。
【００３２】
切欠き部５ｈのねじれの方向は回転軸５ａの回転方向によって決められている。本実施例では、（ｃ）に示すように矢印Ｗ方向に上から下へ回転させる場合、第一軸端部５ｃから第二軸端部５ｄに向かうにしたがって回転方向下流側（図中下向き）にねじれた形状を有している。切欠き部５ｈは、金属板の状態から矩形に打ち抜く際に同時に打ち抜くことで安価に製作することができる。
【００３３】
（現像ローラ５とギア４０との係合構成）
つぎに現像ローラ５とギア４０との係合構成について図２をもとに説明する。（ａ）は現像ローラ５とギア４０の係合前の状態を示す斜視図であり、（ｂ）は係合後の一部切欠きの部分的正面図である。ギア４０は軸線０−０に垂直な平面からなる位置決め部４０ｂを有する。位置決め部４０ｂは回転軸５ａの第一軸端部５ｃに当接して回転軸５ａに対して軸線方向の位置を決める。
【００３４】
また、ギア４０は回転軸５ａの内径と同径の軸心決め部４０ｃを有する。軸心決め部４０ｃは回転軸５ａの内周面と嵌合して、回転軸５ａに対して軸心が重なるように径方向の位置を決める。またギア４０には、規制面４０ｅが設けられていて、現像枠体３１の規制面３１ａに当接することで、現像枠体３１に対してギア４０の軸線方向の位置が規制される。
【００３５】
さらに、ギア４０には、装置本体１００Ａからの回転駆動を受ける駆動受け部であるギア部４０ａと、軸心決め部４０ｃの軸線と直交するボス４０ｄが軸心決め部４０ｃの外周面上に設けられている。回転軸５ａにギア４０を係合した状態で、ギア部４０ａから回転駆動を付与されると、ボス４０ｄを通して回転軸５ａに回転駆動を伝達する。すなわちボス４０ｄは回転軸５ａへの駆動付与部として作用する。
【００３６】
続いて（ｂ）をもとに駆動の伝わり方を述べる。入力ギア４１から駆動を受けてギア４０は図中矢印Ｗの方向に回転する。本実施例ではギア部４０ａははす歯であって、駆動を受けると現像枠体３１に引き込まれる方向（図中、右から左）に軸線方向の力Ａが発生するように、時計回りのねじれ角αが設けられている。軸線方向の力Ａによりギア４０の規制面４０ｅは現像枠体３１の規制面３１ａに当接する。
【００３７】
ギア４０が回転すると、ボス４０ｄが切欠き部５ｈの端面であって、回転方向Ｗの下流側の端面５ｊ（以降「駆動伝達部」と称す）に当接し、現像ローラ５に回転駆動が伝達される。即ち、回転軸５ａは、一端である第一軸端部５ｃの近傍に回転駆動を受ける駆動伝達部５ｊを有する。駆動伝達部５ｊは、第一軸端部５ｃから他端である第二軸端部５ｄに向かうにしたがって現像ローラ５の回転方向Ｗの下流側に傾斜またはねじれた端面５ｊに設けられている。つまり端面５ｊは回転軸５ａの軸線方向に対してねじれた又は傾斜した面である。
【００３８】
前述のとおり、回転軸５ａに、凸形状５ｆと、凹形状５ｇとの軸線方向の隙間５ｋを密着させているため、駆動がかかった場合でも軸心決め部４０ｃと回転軸５ａの内周面との隙間が広がることを抑えている。そうすることで、偏心による回転変動を抑えている。
【００３９】
現像ローラ５の負荷トルクをＴ、ギア部４０ａのピッチ円直径をＤとした場合、入力ギア４１との嵌合部において、ギア部４０ａにかかる軸線方向の分力Ａとピッチ円の円周方向の分力Ｂは、
Ａ＝Ｂｔａｎα  ・・・（１）
Ｂ＝２Ｔ／Ｄ    ・・・（２）
であらわされる。
【００４０】
一方、回転軸５ａは駆動伝達部５ｊにおいて、ボス４０ｄから力を受ける。回転軸５ａの外径をｄ、駆動伝達部５ｊのねじれ角をθとすると、ボス４０ｄによる力の軸線方向の分力ａと円周方向の分力ｂは、
ａ＝ｂｔａｎθ  ・・・（３）
ｂ＝２Ｔ／ｄ    ・・・（４）
であらわされる。
【００４１】
このように、駆動がかかると、現像ローラ５にはギア４０に引っ張られる方向に軸線方向の分力ａが作用する。そして現像ローラ５の第一軸端部５ｃが位置決め部４０ｂに当接して、ギア４０に対して現像ローラ５の軸線方向の位置が決まる。
【００４２】
また、ギア４０には、入力ギア４１による軸線方向の分力Ａと、現像ローラ５による軸線方向の反力ａが作用する。いずれもギア４０を現像枠体３１に引き込む方向に作用する。その結果、ギア４０の規制面４０ｅが規制面３１ａに当接して、現像枠体３１に対してギア４０の軸線方向の位置が決まる。
【００４３】
以上の関係により、現像枠体３１に対し、ギア４０を経由して現像ローラ５の軸線方向の位置が決まる。また、このように構成すると、第二軸端部５ｄを現像枠体３１に接触させずに現像ローラ５を回転させることができるので、第二軸端部５ｄにプレス加工跡のような凹凸があっても回転精度に影響を与えない。しがたって、第二軸端部５ｄをプレス後に平滑に加工する必要がないため、安価に製作することができる。また、回転軸５ａとギア４０とが回転中に互いに緩まぬように引き付けあうため、現像ローラ６の回転変動と位置変動を抑えることができる。
【００４４】
なお、本実施例では駆動付与部であるボス４０ｄと駆動伝達部５ｊはどの位相に配置されても、また複数の対で設けられていても同様の効果が得られる。
【００４５】
ところで、プロセスカートリッジによっては、トナー収容部３１ｃのトナーを現像ローラ５に供給すると同時に、現像ローラ５上の余分なトナーを剥ぎ取る、いわゆる現像剤供給ローラを配置し、現像ローラ５に摺擦駆動させる構成も一般的に知られている。
【００４６】
図７の（ａ）において、５１は現像剤供給ローラであり、回転軸５１ａを被覆する弾性材層５１ｂ（または非弾性材層）を有し、ドラム１にトナー（現像剤）を供給する現像ローラ５にトナーを供給する。現像剤供給ローラ５１は現像ローラ５に当接され、現像ローラ５との当接部において現像ローラ５の回転方向Ｗとは逆方向となるように回転駆動されてトナーを現像ローラ５に供給すると同時に、現像ローラ５上の余分なトナーを剥ぎ取る。
【００４７】
本実施例では回転体の一つとして現像ローラ５の回転軸５ａに本発明を適用したが、現像剤供給ローラ５１の回転軸５１ａにも同様に本構成を適用可能である。現像ローラ５と同様に現像剤供給ローラ５１の回転変動と位置変動を抑える効果を得ることができる。
【００４８】
また、帯電ローラ２にも本実施例の現像ローラ２と同様の回転軸構成とこれを駆動する駆動部材の構成を適用可能である。帯電ローラ２も、図７の（ｂ）のように、回転軸２ａと、この回転軸２ａを被覆する弾性材層（または非弾性材層）２ｂを有し、ドラム１に当接してドラム１を帯電する。帯電ローラ２をドラム１と周速差を設けて駆動することにより、帯電ローラ表面に付着する紙粉等の汚れを除去する効果があるが、本構成にすることにより、回転変動と位置変動を抑える効果があるため、汚れを均一に除去できる。それによりドラム１の帯電ムラを抑えることができる。
【００４９】
［実施例２］
本実施例２に係る構成について、図３をもとに説明する。（ａ）は現像ローラ５とギア４０の係合前の状態を示す斜視図、（ｂ）はギア４０の断面図である。
【００５０】
回転軸５ａの第一軸端部５ｃ近傍の円周状にねじれた端面５ｎを有し、矩形金属板を貫通する穴５ｍを形成する。破断面５ｎは第一軸端部５ｃから第二軸端部５ｄに向かうにしたがって回転方向下流側（図中下向き）にねじれた形状を有している。
【００５１】
また、ギア４０の回転軸５ａへの駆動付与部として、スナップフィット４０ｇを軸心決め部４０ｃの軸線と直交するように軸心決め部４０ｃの外周面上に設けている。そして回転軸５ａにギア４０を係合する際には、スナップフィット４０ｇをたわませながら軸心決め部４０ｃを第一軸端部５ｃに挿入し、スナップフィット４０ｇと穴５ｍとを係合させる。その状態でギア４０に矢印Ｗ方向の回転駆動が付与されると、スナップフィット４０ｇが破断面５ｎ（駆動伝達部）に当接する。
【００５２】
以上の構成により実施例１と同様に、回転軸５ａとギア４０とを駆動中に緩むことなく締結できるため、現像ローラ５の回転変動と位置変動を抑えることができる。また、駆動伝達部５ｎを穴５ｍを形成する端面に設けることにより、第一軸端部５ｃ付近の真円をより精度よく作ることができる。また、穴５ｍ付近の回転軸５ａのねじれ強度をより増すことができる。また、実施例１に記載したと同様に、現像剤供給ローラ５１や帯電ローラ２にも本実施例２の構成を適用可能である。
【００５３】
ここで、電子写真画像形成装置には、像担持体として静電記録誘電体や磁気記録磁性体を用いてこれに静電潜像や磁気潜像、抵抗模様潜像等の潜像を形成し、これを現像剤で現像する転写方式または直接方式の画像形成装置もの含むものとする。この場合も電子写真画像形成装置と呼ぶ。
【符号の説明】
【００５４】
１００・・電子写真画像形成装置、１００Ａ・・装置本体、５・・回転体（現像ローラ）０−０・・軸線または軸線方向、５ｃ・・一端（第一軸端部）、５ｄ・・他端（第二軸端部）、５ｇ・・凹部、５ｆ・・凹部、５ｅ・・連結部、５ｊ・・駆動伝達部、Ｗ・・回転方向
【図１】
2018180149.tif 000003
【図２】
2018180149.tif 000004
【図３】
2018180149.tif 000005
【図４】
2018180149.tif 000006
【図５】
2018180149.tif 000007
【図６】
2018180149.tif 000008
【図７】
2018180149.tif 000009